(57)【要約】【課題】消費電力が削減された電子装置を提供する。【解決手段】電子装置１は、冷却部１３１と、自装置における拡張カードの実装状態についての属性を、当該拡張カードの挿入口である拡張カードスロットごとに判定する判定部１１と、拡張カードの実装状態についての属性に応じて、冷却部１３１の冷却度を制御する冷却制御部１２と、を備えている。【選択図】図１
2014165303.tif 000002
【特許請求の範囲】
【請求項１】
冷却部と、
自装置における拡張カードの実装状態についての属性を、当該拡張カードの挿入口である拡張カードスロットごとに判定する判定部と、
前記拡張カードの実装状態についての属性に応じて、前記冷却部の冷却度を制御する冷却制御部と、
を備えることを特徴とする電子装置。
【請求項２】
前記冷却部を、前記拡張カードスロットごと、または、複数の前記拡張カードスロットからなる所定のスロットエリアごとに複数備えている
ことを特徴とする請求項１に記載の電子装置。
【請求項３】
前記拡張カードの属性と、前記冷却部の冷却度と、を対応付けて登録された冷却度対応テーブルを記憶する記憶部と、
を備え、
前記冷却制御部は、
前記冷却度対応テーブルに登録された冷却度で前記冷却部を制御する
ことを特徴とする請求項１または請求項２に記載の電子装置。
【請求項４】
前記判定部は、
前記拡張カードの実装状態についての属性として、少なくとも、その動作に応じて高温化する拡張カードが実装された高温カード実装状態と、その動作に応じて高温にならない拡張カードが実装された非高温カード実装状態と、を判定する
ことを特徴とする請求項１から請求項３の何れか一項に記載の電子装置。
【請求項５】
前記判定部は、
前記拡張カードの実装状態についての属性として、さらに、前記拡張カードが装着されていない非実装状態と、を判定する
ことを特徴とする請求項４に記載の電子装置。
【請求項６】
前記冷却部は、
自らが回転して送風することで冷却する冷却ファンであって、
前記冷却制御部は、
前記冷却ファンを所定の回転数で回転させることで、当該冷却ファンの冷却度を制御する
ことを特徴とする請求項１から請求項５の何れか一項に記載の電子装置。
【請求項７】
冷却部を備える電子装置についての冷却方法であって、
自装置における拡張カードの実装状態についての属性を、当該拡張カードの挿入口である拡張カードスロットごとに判定し、
前記拡張カードの実装状態についての属性に応じて、前記冷却部の冷却度を制御する
ことを特徴とする冷却方法。
【請求項８】
冷却部を備える電子装置のコンピュータを、
自装置における拡張カードの実装状態についての属性を、当該拡張カードの挿入口である拡張カードスロットごとに判定する判定手段、
前記拡張カードの実装状態についての属性に応じて、前記冷却部の冷却度を制御する冷却制御手段、
として機能させることを特徴とするプログラム。
【発明の詳細な説明】
【技術分野】
【０００１】
本発明は、内部の冷却機能を備えたサーバ装置や情報端末装置等の電子装置、電子装置の冷却方法及びプログラムに関する。
【背景技術】
【０００２】
従来のサーバシステム等の電子装置における装置内冷却では、当該電子装置に設置された温度センサにより検出した温度に基づいて冷却ファンを制御する手法がある。例えば、当該温度センサにおいて装置内が低温であることを検出すると、冷却ファンの回転数は低速となり、消費電力と騒音が抑制される設計となっている。
【０００３】
また、複数のインターフェイスモジュールを備えた通信装置において、当該インターフェイスについての外付け機器の実装状態に応じて、そのインターフェイスモジュールに対する冷却動作を制御する方法が提案されている（特許文献１参照）。当該通信装置はこのようにして、使用されていないインターフェイスモジュールの冷却を抑制し、不要な消費電力を削減することができる。
【先行技術文献】
【特許文献】
【０００４】
【特許文献１】特開２０１２−１６４２４６号公報
【発明の概要】
【発明が解決しようとする課題】
【０００５】
一方、上述したサーバシステム等の電子装置の場合、用途に合わせて機能を柔軟に拡張できるよう、その内部に機能を拡張するための拡張カードスロットが複数設けられている。電子装置のオペレータは、当該拡張カードスロットに所望の拡張カードを実装することで、電子装置に様々な機能を付与することができる。電子装置のオペレータは、装置内に設けられている拡張カードスロットに、幾種類もの拡張カード及びその組み合わせで実装できるため、電子装置は、冷却を最も必要とする拡張カードに合わせた冷却設計となっている。
【０００６】
上述した電子装置の場合、その内部に装着された拡張カード自身が冷却の対象となる。ここで、上述したように拡張カードには様々な種類のものが存在する。すなわち、その動作上激しく発熱するために、高い冷却能力をもって冷却されることを必要とする拡張カードもあれば、その機能上ほとんど発熱しない拡張カードも存在する。特許文献１に記載の方法は、インターフェイスモジュールが動作しているか否かを判別して、これに合わせて冷却ファンの回転を制御するものであるが、動作中のインターフェイスモジュールについては全て同一に冷却する制御としている。ここで、実装された拡張カードが冷却をほとんど必要としないものであるにもかかわらず、冷却ファンが高い冷却能力を発揮するように動作するのは消費電力の無駄を増大し、騒音を招くこととなる。
【０００７】
そこでこの発明は、上述の問題を解決することのできる電子装置、冷却方法及びプログラムを提供することを目的としている。
【課題を解決するための手段】
【０００８】
本発明は、上述の課題を解決すべくなされたもので、冷却部と、自装置における拡張カードの実装状態についての属性を、当該拡張カードの挿入口である拡張カードスロットごとに判定する判定部と、前記拡張カードの実装状態についての属性に応じて、前記冷却部の冷却度を制御する冷却制御部と、を備えることを特徴とする電子装置である。
【０００９】
また本発明は、冷却部を備える電子装置についての冷却方法であって、自装置における拡張カードの実装状態についての属性を、当該拡張カードの挿入口である拡張カードスロットごとに判定し、前記拡張カードの実装状態についての属性に応じて、前記冷却部の冷却度を制御することを特徴とする冷却方法である。
【００１０】
また本発明は、冷却部を備える電子装置のコンピュータを、自装置における拡張カードの実装状態についての属性を、当該拡張カードの挿入口である拡張カードスロットごとに判定する判定手段、前記拡張カードの実装状態についての属性に応じて、前記冷却部の冷却度を制御する冷却制御手段、として機能させることを特徴とするプログラムである。
【発明の効果】
【００１１】
本発明によれば、消費電力が削減された電子装置を提供することができる、という効果が得られる。
【図面の簡単な説明】
【００１２】
【図１】本発明の一実施形態による電子装置の最小構成を示す図である。
【図２】本発明の一実施形態による電子装置の具体的な機能構成を示す図である。
【図３】本発明の一実施形態による判定部の判定方法を説明する図である。
【図４】本発明の一実施形態による冷却制御部の処理を説明する図である。
【図５】本発明の一実施形態による電子装置の処理フローを示すフローチャート図である。
【発明を実施するための形態】
【００１３】
以下、本発明の一実施形態による電子装置を、図面を参照して説明する。
図１は、本発明の一実施形態による電子装置の最小構成を示す図である。この図において、符号１は電子装置である。図１に示すように、電子装置１は、冷却部１３１と、自装置における拡張カード２の実装状態についての属性を、当該拡張カード２の挿入口である拡張カードスロット１０１ごとに判定する判定部１１と、拡張カード２の実装状態についての属性に応じて、冷却部１３１の冷却度を制御する冷却制御部１２と、を備えている。
【００１４】
図２は、本発明の一実施形態による電子装置の具体的な機能構成を示す図である。
図２に示すように、電子装置１は、複数の拡張カードスロット１０１、１０２、・・・、判定部１１、冷却制御部１２、複数の冷却部１３１、１３２、・・・及び複数の拡張カード２を備えている。
【００１５】
ここで本実施形態による電子装置１は、所定のサーバシステムに用いられるサーバ装置である。電子装置１は、後述するように、その用途に応じて種々の拡張カード２を内部に実装することで所望の機能を電子装置１に付与することができる。なお本実施形態による電子装置１は、このようなサーバ装置に限定されることはなく、例えばコンシューマ向けの情報端末装置であってもよい。また、電子装置１は、サーバシステム或いはコンシューマ向け情報端末装置として図２に示すもの以外の機能構成を有する電子装置であるが、これらの機能についての説明は省略する。
【００１６】
複数の拡張カードスロット１０１、１０２、・・・は、拡張カード２が装着されるインターフェイスである。サーバ装置である電子装置１は、この拡張カードスロット１０１、１０２、・・・を複数備えている。ここで図２に示すように、複数の拡張カードスロット１０１は、スロットエリアＡ１に属するように配置されている。同様に、複数の拡張カードスロット１０２は、スロットエリアＡ２に属するように配置されている。なお、以下の説明において、拡張カードスロット１０１、１０２、・・・を総称して単に「拡張カードスロット１０」と記載する。
【００１７】
判定部１１は、上述したように、電子装置１における拡張カード２の実装状態についての属性を、複数の拡張カードスロット１０ごとに判定する機能部である。図２に示すように、判定部１１は、全ての拡張カードスロット１０からの入力信号を検出し、各拡張カードスロット１０に拡張カード２が実装されているか否か、または、どのような拡張カードが実装されているか、を示す所定の「属性」を判定する。「属性」及び判定部１１の具体的な処理については後述する。
【００１８】
冷却制御部１２は、拡張カードスロット１０ごとの拡張カード２の実装状態についての属性に応じて、冷却部１３１、１３２、・・・の冷却度を制御する機能部である。ここで本実施形態による冷却部１３１、１３２、・・・は後述するように冷却ファンであって、冷却制御部１２は、当該冷却部１３１、１３２、・・・を所定の回転数で回転させることでその冷却度を制御する機能部である。すなわち「冷却度」とは、本実施形態においては「単位時間当たりの冷却ファン回転数」に対応するものとする。図２に示すように、冷却制御部１２は、複数の冷却部１３１、１３２、・・・へ所定の回転信号を出力する。また詳細は後述するが、冷却制御部１２は、上述した判定部１１からの判定結果と、記憶部１４に登録された「冷却度対応テーブル」と、を参照して、各冷却部１３１、１３２、・・・ごとに所定の回転数で回転させるための回転信号を出力する。
【００１９】
冷却部１３１、１３２、・・・は、電子装置１内部に実装された各拡張カード２を冷却する機能部である。本実施形態において冷却部１３は、自らが回転することにより送風して冷却する冷却ファンである。ここで以下の説明において、冷却部１３１、１３２、・・・を総称して単に「冷却部１３」と記載する。冷却部１３は、上述した冷却制御部１２からの回転信号を入力し、その回転信号に応じた回転数（ｒｐｍ）で回転する。図２に示すように、複数の冷却部１３はそれぞれスロットエリアＡ１、Ａ２、・・・ごとに備えられている。冷却部１３は自らが回転することで自身に対応するスロットエリアＡ１、Ａ２、・・・に送風を行い、各拡張カードスロット１０に実装された拡張カード２を冷却する。
【００２０】
拡張カード２は、拡張カードスロット１０に対して着脱可能な機能拡張用のカードである。ここで以下の説明において、拡張カード２は、例えばＰＣＩ（Ｐｅｒｉｐｈｅｒａｌ  Ｃｏｍｐｏｎｅｎｔｓ  Ｉｎｔｅｒｃｏｎｎｅｃｔ）カード等である。拡張カード２は、その拡張カード２の機能に応じて、動作中に高い冷却能力をもって冷却される必要とする拡張カードや、ほとんど発熱せず冷却を要しない拡張カードなど、様々なものが存在する。例えば、表示画面に表示させる画像を演算するビデオコントローラや、実装されたハードディスクの各種運用方法を管理するＲＡＩＤ（Ｒｅｄｕｎｄａｎｔ  Ａｒｒａｙｓ  ｏｆ  Ｉｎｄｅｐｅｎｄｅｎｔ  Ｄｉｓｋｓ）コントローラは、高速かつ大量の信号処理が要求されるため、当該拡張カードにおける発熱量も大きい。一方、ネットワーク用のインターフェイスであるＬＡＮ（Ｌｏｃａｌ  Ａｒｅａ  Ｎｅｔｗｏｒｋ）コントローラや、ハードディスクドライブ等のデバイスを接続するインターフェイスであるＳＡＳ（Ｓｅｒｉａｌ  Ａｔｔａｃｈｅｄ  ＳＣＳＩ）コントローラは、動作中においても発熱はほとんど生じない。
【００２１】
記憶部１４は、データベースを構築するための各種データが格納されるサーバとして機能する記憶領域である。記憶部１４は一般的な記憶手段、例えばＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）、ＤＲＡＭ（Ｄｙｎａｍｉｃ  Ｒａｎｄｏｍ  Ａｃｃｅｓｓ  Ｍｅｍｏｒｙ）等の記憶デバイスで構築される。本実施形態による記憶部１４には後述する「冷却度対応テーブル」が記憶されている。
【００２２】
なお上述した電子装置１は、スロットエリアＡ１、Ａ２、・・・に複数の拡張カードスロット１０１、１０２、・・・が配置されており、当該スロットエリアＡ１、Ａ２、・・・ごとに冷却部１３１、１３２、・・・を対応させる構成としている。しかし、本実施形態による電子装置１はこの態様に限定されない。例えば、電子装置１は、一つの拡張カードスロット１０１、１０２、・・・ごとに冷却部１３１、１３２、・・・を一つずつ対応させる構成としてもよい。
【００２３】
また判定部１１、冷却制御部１２は、電子装置１に備えられた汎用のＣＰＵ（Ｃｅｎｔｒａｌ  Ｐｒｏｃｃｅｓｓ  Ｕｎｉｔ：中央演算装置）であって、所定のプログラムを当該ＣＰＵ内部に有する記憶部（レジスタ）に読み込ませて実行することで各機能部における機能を発揮する態様であってもよい。
【００２４】
図３は、本発明の一実施形態による判定部の判定方法を説明する図である。
上述したように、本実施形態による判定部１１は、拡張カードスロット１０ごとに、拡張カード２の実装状態の属性を判定する。具体的には、本実施形態による判定部１１は、電子装置１の電源投入時に実装されている各種ハードウェアの検出処理等を行うＢＩＯＳ（Ｂａｓｉｃ  Ｉｎｐｕｔ／Ｏｕｔｐｕｔ  Ｓｙｓｔｅｍ）であってよい。すなわち判定部１１は、電子装置１の電源投入時において各拡張カードスロット１０と所定の通信を行い、当該拡張カードスロット１０に拡張カード２が実装されているか否か、また、実装されている場合にはどのような種類の拡張カード２が実装されているか、を検出する。
【００２５】
ここで、本実施形態による判定部１１は、予め図３に示すような分類テーブルを有している。分類テーブルは図３に示すように、種々の拡張カード２を、動作時に高温になる拡張カード２（Ａグループ）、動作時においてそれほど高温にならない拡張カード２（Ｂグループ）のいずれに属するかを定義するテーブルである。例えば、上述したＲＡＩＤコントローラ、ビデオコントローラなどは「Ａグループ」に属するものとして定義されている。また、ＳＡＳコントローラ、ＬＡＮコントローラは「Ｂグループ」に属するものとして定義されている。
【００２６】
判定部１１は、上記分類テーブルを参照しながら拡張カードスロット１０ごとに、Ａグループに属する拡張カードが実装される「高温カード実装状態」（「Ａグループ実装状態」）にあるか、Ｂグループに属する拡張カードが実装される「非高温カード実装状態」（「Ｂグループ実装状態」）にあるか、を判定して、その判定結果を冷却制御部１２に出力する。また、拡張カード２が装着されていない拡張カードスロット１０が存在する場合には、判定部１１は、その拡張カードスロット１０について「非実装状態」であると判定して、その判定結果を冷却制御部１２に出力する。
【００２７】
すなわち判定部１１は、拡張カードスロット１０の実装状態として、上述した「Ａグループ実装状態」、「Ｂグループ実装状態」、「非実装状態」の何れかの属性を、拡張カードスロット１０ごとに出力する。なお判定部１１は、上述した分類テーブルを記憶する独自のメモリ領域を備えていても構わないし、記憶部１４に別途記憶された分類テーブルを参照してもよい。また、分類テーブルは、オペレータの所定の操作に基づいて新たな拡張カードを追加、登録済みの拡張カードの分類を変更できるものとする。
【００２８】
図４は、本発明の一実施形態による冷却制御部の処理を説明する図である。
本実施形態による冷却制御部１２は、まず判定部１１から拡張カードスロット１０ごとの実装状態を示す属性を入力する。次に冷却制御部１２は、記憶部１４に記憶されている冷却度対応テーブルを参照する。ここで図４に示すように、冷却度対応テーブルには、拡張カードの属性と、冷却部１３の冷却度（冷却ファン回転数）と、を対応付けて登録されている。また冷却度対応テーブルは、冷却部１３における各冷却ファン回転数を制御パターンＡ〜Ｃで示すこととしている。
【００２９】
冷却制御部１２は、判定部１１から入力した属性に対応する制御パターンで各冷却部１３を回転させる回転信号を出力する。例えば、スロットエリアＡ１に属する拡張カードスロット１０１の何れかにグループＡに属する拡張カード２が実装されていた場合、冷却制御部１２は、冷却部１３１に対して制御パターンＡ、すなわち冷却ファン回転数を５０００〜１００００ｒｐｍで回転するような回転信号を出力する。また、例えば、スロットエリアＡ２に属する拡張カードスロット１０２の何れにも拡張カード２が実装されていなかった場合、冷却制御部１２は制御パターンＣ、すなわち冷却部１３２に対して冷却ファン回転数を０ｒｐｍ（非動作）とするような回転信号を出力する（この場合には、冷却制御部１２は回転信号そのものを出力しないこととしてもよい）。
【００３０】
図５は、本発明の一実施形態による電子装置の処理フローを示すフローチャート図である。
図５のフローチャートが示す処理フローは、オペレータにより電子装置１に電源が投入された状態から開始されるものである。電源が投入された電子装置１は、直ちに起動用のプログラム（ＢＩＯＳ）を実行し、内部に実装されている各種ハードウェアの検出処理などが行われる。このとき、判定部１１は、スロットエリアごと（ここではスロットエリアＡｎとする。）に属する拡張カードスロット（拡張カードスロット１０ｎとする。）に拡張カード２が実装されているか否かを判定する（ステップＳ１）。
【００３１】
ここで判定部１１が、スロットエリアＡｎに属する全ての拡張カードスロット１０ｎに拡張カード２が実装されていないことを検出した場合（ステップＳ１→Ｎ）、判定部１１は、スロットエリアＡｎについて属性「非実装状態」を示す信号を冷却制御部１２に出力する（ステップＳ２）。「非実装状態」を示す信号を入力した冷却制御部１２は、記憶部１４における冷却度対応テーブルを参照して、スロットエリアＡｎに対応する冷却部１３ｎを「非実装状態」に対応する制御パターンＣ、すなわち非動作とする制御（図４参照）を行う（ステップＳ３）。
【００３２】
一方判定部１１が、スロットエリアＡｎに属する何れかの拡張カードスロット１０ｎに拡張カード２が実装されていることを検出した場合（ステップＳ１→Ｙ）、次に、判定部１１は上述した分類テーブルを参照し、実装されている拡張カード２の中にＡグループに属するものがあるか否かを判定する（ステップＳ４）。
【００３３】
ここで判定部１１が、実装されている拡張カード２の中にＡグループに属するものがあると判定した場合（ステップＳ４→Ｙ）、判定部１１は、スロットエリアＡｎについて属性「Ａグループ実装状態」を示す信号を冷却制御部１２に出力する（ステップＳ５）。「Ａグループ実装状態」を示す信号を入力した冷却制御部１２は、記憶部１４における冷却度対応テーブルを参照して、スロットエリアＡｎに対応する冷却部１３ｎを「Ａグループ実装状態」に対応する制御パターンＡ、すなわち回転数５０００〜１００００ｒｐｍとする制御（図４参照）を行う（ステップＳ６）。
【００３４】
一方、判定部１１が、実装されている拡張カード２の中にＡグループに属するものがないと判定した場合（ステップＳ４→Ｎ）、判定部１１は、スロットエリアＡｎについて属性「Ｂグループ実装状態」を示す信号を冷却制御部１２に出力する（ステップＳ７）。「Ｂグループ実装状態」を示す信号を入力した冷却制御部１２は、記憶部１４における冷却度対応テーブルを参照して、スロットエリアＡｎに対応する冷却部１３ｎを「Ｂグループ実装状態」に対応する制御パターンＢ、すなわち回転数１０００〜５０００ｒｐｍとする制御（図４参照）を行う（ステップＳ８）。
【００３５】
判定部１１は、ステップＳ２〜Ｓ３、ステップＳ５〜Ｓ６またはステップＳ７〜Ｓ８の何れかを経てスロットエリアＡｎに対応する冷却部１３ｎの制御が決定されると、電子装置１内部における全てのスロットエリアについての処理が完了したか否かを判定する（ステップＳ９）。ここで判定部１１は、全てのスロットエリアについての処理が完了したと判定した場合は処理フローを終了する（ステップＳ９→Ｙ）。一方、全てのスロットエリアについての処理が完了していないと判定した場合（ステップＳ９→Ｎ）、判定部１１は、次のスロットエリア（スロットエリアＡｎ＋１とする）についての処理を開始して（ステップＳ１０）する。そして、判定部１１及び冷却制御部１２は、スロットエリアＡｎ＋１を対象とした上記ステップＳ１〜Ｓ８の処理フローを行う。
【００３６】
本実施形態による電子装置１は、上述した処理フローを実行することで以下のような処理を実現することができる。すなわち電子装置１は、あるスロットエリアＡｎに属する拡張カードスロット１０ｎの何れかに、動作中に高温に達する拡張カード２（グループＡ）が実装されていた場合には、それに合わせて高い冷却能力を発揮するように冷却部１３ｎを制御する。一方、電子装置１は、スロットエリアＡｎに属する拡張カードスロット１０ｎの何れかに拡張カード２が実装されているものの、その何れもが高温に達しない拡張カード２（グループＢ）であった場合には、冷却能力を抑制するように冷却部１３ｎを制御する。そして、電子装置１は、あるスロットエリアＡｎに属する全ての拡張カードスロット１０ｎに拡張カード２が実装されていない場合には、冷却部１３ｎの動作そのものを停止する制御を行う。よって電子装置１は、スロットエリアＡ１、Ａ２、・・・における拡張カード２の実装状態に応じて最適な冷却処理を行うことができる。
【００３７】
以上、本発明の一実施形態による電子装置１によれば、冷却部１３の動作に伴う消費電力が削減され、また、冷却部１３による騒音が抑制される、という効果を得ることができる。
【００３８】
なお本実施形態による電子装置１は、上述した通り、スロットエリアＡｎに属する拡張カードスロット１０ｎのうち、何れか一つでもグループＡに属する拡張カード２が実装されていた場合には、そのスロットエリアＡｎに対応する冷却部１３は動作パターンＡ（図４）で動作することとしている。しかし他の実施形態による電子装置１によっては、この態様に限定されず、これとは異なる条件を満たした場合に動作パターンＡで動作することとしてもよい。例えば、本発明の他の実施形態による電子装置１は、スロットエリアＡｎに属する拡張カードスロット１０ｎのうち二つ、或いは三つ以上にグループＡに属する拡張カード２が実装されていた場合にのみ動作パターンＡで動作する、という処理を行ってもよい。なお動作パターンＢ及び動作パターンＣ（図４）においても同様である。
【００３９】
また本実施形態による電子装置１は、図３に示した通り、拡張カード２を、動作時に高温になる拡張カード２（Ａグループ）と、動作時に高温にならない拡張カード（Ｂグループ）と二通りに分類したが、他の実施形態による電子装置１によっては、この態様に限定されない。例えば、他の実施形態による電子装置１は、分類テーブルにおいて拡張カード２を動作時の発熱量ごとに三通り以上のグループに細分化してもよい。また、電子装置１はこれに合わせて、冷却度対応テーブルに登録される動作パターンを細分化してもよい。
【００４０】
また本実施形態による電子装置１は、上述した通り、冷却制御部１２により制御される冷却ファン（冷却部１３）の回転数に応じた冷却を行う態様としている。しかし他の実施形態による電子装置１によってはこの態様に限定されない。すなわち、本発明の他の実施形態による電子装置１は、例えば冷却部１３が冷媒循環器であって、冷媒（例えば冷水等）を循環させることにより冷却を行うものであってもよい。なおこの場合、冷却部１３の「冷却度」は、当該冷媒循環器によって循環される冷媒の単位時間当たりの流量と対応する。
【００４１】
また他の実施形態による電子装置１は、例えば冷却部１３がペルチェ冷却素子であって、当該ペルチェ冷却素子に通電することによって冷却を行う態様であってもよい。この場合、なおこの場合、冷却部１３の「冷却度」は、当該ペルチェ冷却素子に通電される電力量と対応する。
【００４２】
なお、上述の電子装置１は、内部にコンピュータシステムを有している。そして、上述した電子装置１の各処理の過程は、プログラムの形式でコンピュータ読み取り可能な記録媒体に記憶されており、このプログラムをコンピュータが読み出して実行することによって、上記処理が行われる。ここで、コンピュータ読み取り可能な記録媒体とは、磁気ディスク、光磁気ディスク、ＣＤ−ＲＯＭ（Ｃｏｍｐａｃｔ  Ｄｉｓｋ  Ｒｅａｄ  Ｏｎｌｙ  Ｍｅｍｏｒｙ）または半導体メモリ等をいう。また、このコンピュータプログラムを通信回線によってコンピュータに配信し、この配信を受けたコンピュータが当該プログラムを実行するようにしても良い。
【符号の説明】
【００４３】
１・・・電子装置
１０１、１０２、・・・、１０ｎ・・・拡張カードスロット
１１・・・判定部
１２・・・冷却制御部
１３１、１３２、・・・、１３ｎ・・・冷却部
１４・・・記憶部
２・・・拡張カード
【図１】
2014165303.tif 000003
【図２】
2014165303.tif 000004
【図３】
2014165303.tif 000005
【図４】
2014165303.tif 000006
【図５】
2014165303.tif 000007